(57)【要約】  実施形態に係る基地局は、自セル内のユーザ端末との通信を行う基地局である。当該基地局は、前記基地局の消費電力が削減された状態で前記ユーザ端末との通信を行う省電力通信モードを設定する前において、隣接基地局への前記ユーザ端末のハンドオーバを制御する制御部を備える。
2014163138.tif 000002
【特許請求の範囲】
【請求項１】
自セル内のユーザ端末との通信を行う基地局であって、
前記基地局の消費電力が削減された状態で前記ユーザ端末との通信を行う省電力通信モードを設定する前において、隣接基地局への前記ユーザ端末のハンドオーバを制御する制御部を備えることを特徴とする基地局。
【請求項２】
前記制御部は、前記ユーザ端末との通信に要求されるＱｏＳに基づいて、前記隣接基地局への前記ユーザ端末のハンドオーバを制御することを特徴とする請求項１に記載の基地局。
【請求項３】
前記制御部は、前記省電力通信モードを設定すると前記ＱｏＳを満たせない場合に、前記ハンドオーバを行った上で、前記省電力通信モードを設定することを特徴とする請求項２に記載の基地局。
【請求項４】
前記制御部は、前記ハンドオーバの手続において前記隣接基地局に送信するハンドオーバ要求に、前記省電力通信モードのためのハンドオーバであることを示す情報を含めることを特徴とする請求項３に記載の基地局。
【請求項５】
前記制御部は、前記省電力通信モードの設定要求を前記基地局が前記隣接基地局から受信したことに応じて、前記省電力通信モードを設定することを特徴とする請求項１に記載の基地局。
【請求項６】
前記基地局の消費電力を削減する方法が異なる複数種類の省電力通信モードが規定されており、
前記設定要求は、前記基地局に要求される前記省電力通信モードの種類及び設定のうち少なくとも一方を示す情報を含むことを特徴とする請求項５に記載の基地局。
【請求項７】
前記制御部は、前記省電力通信モードが許可されるか否かの問い合わせを隣接基地局に送信し、
前記制御部は、前記問い合わせに対する肯定応答を前記基地局が前記隣接基地局から受信したことに応じて、前記省電力通信モードを設定することを特徴とする請求項１に記載の基地局。
【請求項８】
前記基地局の消費電力を削減する方法が異なる複数種類の省電力通信モードが規定されており、
前記問い合わせは、前記基地局が予定する前記省電力通信モードの種類及び設定のうち少なくとも一方を示す情報を含むことを特徴とする請求項７に記載の基地局。
【請求項９】
前記問い合わせは、前記省電力通信モードを設定することにより前記隣接基地局に要求される通信容量を示す情報、及び／又は前記基地局の配下のユーザ端末の数を示す情報を含むことを特徴とする請求項７に記載の基地局。
【請求項１０】
前記制御部は、前記省電力通信モードを設定した場合に、前記省電力通信モードを設定したことを示す完了通知を前記隣接基地局に送信することを特徴とする請求項１に記載の基地局。
【請求項１１】
前記基地局の消費電力を削減する方法が異なる複数種類の省電力通信モードが規定されており、
前記完了通知は、前記基地局が設定した前記省電力通信モードの種類及び設定のうち少なくとも一方を示す情報を含むことを特徴とする請求項１０に記載の基地局。
【請求項１２】
前記省電力通信モードの設定を示す情報は、前記省電力通信モードが適用されるシステムフレーム番号及びサブフレーム番号の少なくともいずれかを含むことを特徴とする請求項１１に記載の基地局。
【請求項１３】
前記省電力通信モードの設定を示す情報は、前記隣接基地局において、前記サブフレーム番号が示すサブフレーム内の無線リソース、又は、前記シスレムフレーム番号が示すフレームを構成するサブフレーム内の無線リソースが割り当てられる前記ユーザ端末に対して、データレートが所定値以上となるＭＣＳを割り当てるために用いられることを特徴とする請求項１２に記載の基地局。
【請求項１４】
前記基地局の消費電力を削減する方法が異なる複数種類の省電力通信モードが規定されており、
予め定められた優先順位、又は、前記基地局の通信容量に基づいて、前記複数種類の省電力通信モードの中から、前記基地局が設定すべき省電力通信モードが選択されることを特徴とする請求項１に記載の基地局。
【請求項１５】
自セル内のユーザ端末との通信を行う基地局であって、
前記基地局の消費電力を削減する方法が異なる複数種類の省電力通信モードが規定されており、
前記基地局は、前記複数種類の省電力通信モードの中から選択された省電力通信モードの種類及び設定のうち少なくとも一方を示す情報を隣接基地局に通知する制御部を備えることを特徴とする基地局。
【請求項１６】
前記複数種類の省電力通信モードの中から省電力通信モードを設定することを要求する設定要求を前記隣接基地局から受信する受信部をさらに備え、
前記制御部は、前記複数種類の省電力通信モードの中から前記省電力通信モードを選択し、
前記制御部は、前記設定要求を送信した前記隣接基地局に対して、前記情報を通知することを特徴とする請求項１５に記載の基地局。
【請求項１７】
前記制御部は、前記隣接基地局に対して、前記基地局における前記省電力通信モードの設定を前記隣接基地局が制御することを要求し、
前記受信部は、前記要求を受け入れる旨の応答を受信した前記隣接基地局から前記設定要求を受信することを特徴とする請求項１６に記載の基地局。
【請求項１８】
前記受信部は、前記隣接基地局から、前記基地局における前記省電力通信モードの設定を前記隣接基地局が制御する旨の要求を受信し、
前記受信部は、前記制御部が前記要求を受け入れる旨の回答を前記隣接基地局に送信した場合に、前記隣接基地局から前記設定要求を受信することを特徴とする請求項１６に記載の基地局。
【請求項１９】
前記制御部は、前記基地局における前記省電力通信モードの設定を制御する前記隣接基地局が記録されたリストを保持し、
前記制御部は、前記リストに基づいて、前記情報を前記隣接基地局に通知することを特徴とする請求項１６に記載の基地局。
【請求項２０】
前記設定要求は、前記複数種類の省電力通信モードの中から前記基地局が設定すべき省電力通信モードとして、前記基地局のカバレッジを維持しつつ前記基地局の処理負荷の上限値を所定値未満に抑えるモードを要求する情報を含むことを特徴とする請求項１６に記載の基地局。
【請求項２１】
前記設定要求は、前記省電力通信モードを開始する時刻、前記省電力通信モードを終了する時刻、及び、前記省電力通信モードの設定期間を示すタイマ値の少なくともいずれかを示す情報を含むことを特徴とする請求項１６に記載の基地局。
【請求項２２】
前記制御部は、前記設定要求に従って前記省電力通信モードが設定されたと仮定した場合における前記基地局の予想処理能力が、前記基地局が現在要求されている処理能力を下回る場合、前記設定要求に従って前記省電力通信モードを設定するか否かの問い合わせを前記隣接基地局に通知することを特徴とする請求項１６に記載の基地局。
【発明の詳細な説明】
【技術分野】
【０００１】
本発明は、移動通信システムにおいて用いられる基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、基地局の消費電力を削減するエナジーセービング技術が導入されている（例えば、非特許文献１参照）。例えば、通信トラフィックの少ない夜間などにおいて、基地局のセルの運用を停止することにより、基地局の消費電力を削減できる。
【先行技術文献】
【非特許文献】
【０００３】
【非特許文献１】３ＧＰＰ技術仕様  「ＴＳ３６．３００  Ｖ１１．４．０」  ２０１２年１２月
【発明の概要】
【０００４】
しかしながら、基地局のセルの運用を停止させることにより、基地局のパワーセービングが実現されるものの、当該セルにおいてユーザ端末との通信が不能になる。従って、サービス品質の低下を抑制しつつエナジーセービングを実現することは困難であった。
【０００５】
そこで、本発明は、サービス品質の低下を抑制しつつエナジーセービングを実現できる基地局を提供する。
【０００６】
第１の特徴に係る基地局は、自セル内のユーザ端末との通信を行う。前記基地局は、前記基地局の消費電力が削減された状態で前記ユーザ端末との通信を行う省電力通信モードを設定する前において、隣接基地局への前記ユーザ端末のハンドオーバを制御する制御部を備える。
【０００７】
第２の特徴に係る基地局は、自セル内のユーザ端末との通信を行う。前記基地局の消費電力を削減する方法が異なる複数種類の省電力通信モードが規定されている。前記基地局は、前記複数種類の省電力通信モードの中から選択された省電力通信モードの種類及び設定のうち少なくとも一方を示す情報を隣接基地局に通知する制御部を備える。
【０００８】
本発明に係る基地局は、サービス品質の低下を抑制しつつエナジーセービングを実現できる。
【図面の簡単な説明】
【０００９】
【図１】図１は、第１実施形態に係るＬＴＥシステムの構成図である。
【図２】図２は、第１実施形態に係るＵＥのブロック図である。
【図３】図３は、第１実施形態に係るｅＮＢのブロック図である。
【図４】図４は、ＬＴＥシステムにおける無線インターフェイスのプロトコルスタック図である。
【図５】図５は、ＬＴＥシステムで使用される無線フレームの構成図である。
【図６】図６は、第１実施形態に係る動作環境を示す図である。
【図７】図７は、第１実施形態に係る間欠送信を説明するための図である。
【図８】図８は、第１実施形態に係る送信アンテナ数削減を説明するための図である。
【図９】図９は、第１実施形態に係る動作パターン１のシーケンス図である。
【図１０】図１０は、第１実施形態に係る動作パターン２のシーケンス図である。
【図１１】図１１は、第１実施形態に係る動作パターン３のシーケンス図である。
【図１２】図１２は、第１実施形態に係る省電力通信モード選択処理のフロー図である。
【図１３】図１３は、第１実施形態に係るｅＮＢ  Ｃｏｎｆｉｇｕｒａｔｉｏｎ  Ｕｐｄａｔｅメッセージを説明するための図である。
【図１４】図１４は、第１実施形態に係るｅＮＢ  Ｃｏｎｆｉｇｕｒａｔｉｏｎ  Ｕｐｄａｔｅメッセージを説明するための図である。
【図１５】図１５は、第１実施形態に係るＣｅｌｌ  Ａｃｔｉｖａｔｉｏｎ  Ｒｅｑｕｅｓｔメッセージを説明するための図である。
【図１６】図１６は、第１実施形態に係るＣｅｌｌ  Ａｃｔｉｖａｔｉｏｎ  Ｒｅｑｕｅｓｔメッセージを説明するための図である。
【図１７】図１７は、第２実施形態に係る動作パターンのシーケンス図である。
【発明を実施するための形態】
【００１０】
［実施形態の概要］
実施形態に係る基地局は、自セル内のユーザ端末との通信を行う。前記基地局は、前記基地局の消費電力が削減された状態で前記ユーザ端末との通信を行う省電力通信モードを設定する前において、への前記ユーザ端末のハンドオーバを制御する制御部を備える。
【００１１】
実施形態では、前記制御部は、前記ユーザ端末との通信に要求されるＱｏＳに基づいて、前記隣接基地局への前記ユーザ端末のハンドオーバを制御する。
【００１２】
実施形態では、前記制御部は、前記省電力通信モードを設定すると前記ＱｏＳを満たせない場合に、前記ハンドオーバを行った上で、前記省電力通信モードを設定する。
【００１３】
実施形態では、前記制御部は、前記ハンドオーバの手続において前記隣接基地局に送信するハンドオーバ要求に、前記省電力通信モードのためのハンドオーバであることを示す情報を含める。
【００１４】
実施形態では、前記制御部は、前記省電力通信モードの設定要求を前記基地局が前記隣接基地局から受信したことに応じて、前記省電力通信モードを設定する。
【００１５】
実施形態では、前記基地局の消費電力を削減する方法が異なる複数種類の省電力通信モードが規定されている。前記設定要求は、前記基地局に要求される前記省電力通信モードの種類及び設定のうち少なくとも一方を示す情報を含む。
【００１６】
実施形態では、前記制御部は、前記省電力通信モードが許可されるか否かの問い合わせを隣接基地局に送信する。前記制御部は、前記問い合わせに対する肯定応答を前記基地局が前記隣接基地局から受信したことに応じて、前記省電力通信モードを設定する。
【００１７】
実施形態では、前記基地局の消費電力を削減する方法が異なる複数種類の省電力通信モードが規定されている。前記問い合わせは、前記基地局が予定する前記省電力通信モードの種類及び設定のうち少なくとも一方を示す情報を含む。
【００１８】
実施形態では、前記問い合わせは、前記省電力通信モードを設定することにより前記隣接基地局に要求される通信容量を示す情報、及び／又は前記基地局の配下のユーザ端末の数を示す情報を含む。
【００１９】
実施形態では、前記制御部は、前記省電力通信モードを設定した場合に、前記省電力通信モードを設定したことを示す完了通知を前記隣接基地局に送信する。
【００２０】
実施形態では、前記基地局の消費電力を削減する方法が異なる複数種類の省電力通信モードが規定されている。前記完了通知は、前記基地局が設定した前記省電力通信モードの種類及び設定のうち少なくとも一方を示す情報を含む。
【００２１】
実施形態では、前記省電力通信モードの設定を示す情報は、前記省電力通信モードが適用されるシステムフレーム番号及びサブフレーム番号の少なくともいずれかを含む。
【００２２】
実施形態では、前記省電力通信モードの設定を示す情報は、前記隣接基地局において、前記サブフレーム番号が示すサブフレーム内の無線リソース、又は、前記シスレムフレーム番号が示すフレームを構成するサブフレーム内の無線リソースが割り当てられる前記ユーザ端末に対して、データレートが所定値以上となるＭＣＳを割り当てるために用いられる。
【００２３】
実施形態では、前記基地局の消費電力を削減する方法が異なる複数種類の省電力通信モードが規定されている。予め定められた優先順位、又は、前記基地局の通信容量に基づいて、前記複数種類の省電力通信モードの中から、前記基地局が設定すべき省電力通信モードが選択される。
【００２４】
実施形態に係る基地局は、自セル内のユーザ端末との通信を行う。前記基地局の消費電力を削減する方法が異なる複数種類の省電力通信モードが規定されている。前記基地局は、前記複数種類の省電力通信モードの中から選択された省電力通信モードの種類及び設定のうち少なくとも一方を示す情報を隣接基地局に通知する制御部を備える。
【００２５】
実施形態に係る基地局は、前記複数種類の省電力通信モードの中から省電力通信モードを設定することを要求する設定要求を前記隣接基地局から受信する受信部をさらに備える。前記制御部は、前記複数種類の省電力通信モードの中から前記省電力通信モードを選択する。前記制御部は、前記設定要求を送信した前記隣接基地局に対して、前記情報を通知する。
【００２６】
実施形態では、前記制御部は、前記隣接基地局に対して、前記基地局における前記省電力通信モードの設定を前記隣接基地局が制御することを要求する。前記受信部は、前記要求を受け入れる旨の応答を受信した前記隣接基地局から前記設定要求を受信する。
【００２７】
実施形態では、前記受信部は、前記隣接基地局から、前記基地局における前記省電力通信モードの設定を前記隣接基地局が制御する旨の要求を受信する。前記受信部は、前記制御部が前記要求を受け入れる旨の回答を前記隣接基地局に送信した場合に、前記隣接基地局から前記設定要求を受信する。
【００２８】
実施形態では、前記制御部は、前記基地局における前記省電力通信モードの設定を制御する前記隣接基地局が記録されたリストを保持する。前記制御部は、前記リストに基づいて、前記情報を前記隣接基地局に通知する。
【００２９】
実施形態では、前記設定要求は、前記複数種類の省電力通信モードの中から前記基地局が設定すべき省電力通信モードとして、前記基地局のカバレッジを維持しつつ前記基地局の処理負荷の上限値を所定値未満に抑えるモードを要求する情報を含む。
【００３０】
実施形態では、前記設定要求は、前記省電力通信モードを開始する時刻、前記省電力通信モードを終了する時刻、及び、前記省電力通信モードの設定期間を示すタイマ値の少なくともいずれかを示す情報を含む。
【００３１】
実施形態では、前記制御部は、前記設定要求に従って前記省電力通信モードが設定されたと仮定した場合における前記基地局の予想処理能力が、前記基地局が現在要求されている処理能力を下回る場合、前記設定要求に従って前記省電力通信モードを設定するか否かの問い合わせを前記隣接基地局に通知する。
【００３２】
［第１実施形態］
以下、図面を参照して、３ＧＰＰで標準化されているＬＴＥ（Ｌｏｎｇ  Ｔｅｒｍ  Ｅｖｏｌｕｔｉｏｎ）に本発明を適用する場合の実施形態を説明する。
【００３３】
（ＬＴＥシステムの構成）
図１は、第１実施形態に係るＬＴＥシステムの構成図である。図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０は無線アクセスネットワークに相当し、ＥＰＣ２０はコアネットワークに相当する。Ｅ−ＵＴＲＡＮ１０及びＥＰＣ２０は、ＬＴＥシステムのネットワークを構成する。
【００３４】
ＵＥ１００は、移動型の通信装置であり、接続先のセル（サービングセル）との無線通信を行う。ＵＥ１００はユーザ端末に相当する。
【００３５】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、１又は複数のセルを管理しており、自セルとの接続を確立したＵＥ１００との無線通信を行う。なお、「セル」は、無線通信エリアの最小単位を示す用語として使用される他に、ＵＥ１００との無線通信を行う機能を示す用語としても使用される。
【００３６】
ｅＮＢ２００は、例えば、無線リソース管理（ＲＲＭ）機能と、ユーザデータのルーティング機能と、モビリティ制御及びスケジューリングのための測定制御機能と、を有する。
【００３７】
ＥＰＣ２０は、複数のＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。ＭＭＥ／Ｓ−ＧＷ３００により構成されるＥＰＣ２０は、ｅＮＢ２００を収容する。
【００３８】
ｅＮＢ２００は、Ｘ２インターフェイスを介して相互に接続される。また、ｅＮＢ２００は、Ｓ１インターフェイスを介してＭＭＥ／Ｓ−ＧＷ３００と接続される。
【００３９】
次に、ＵＥ１００及びｅＮＢ２００の構成を説明する。
【００４０】
図２は、ＵＥ１００のブロック図である。図２に示すように、ＵＥ１００は、複数のアンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００４１】
複数のアンテナ１０１及び無線送受信機１１０は、無線信号の送受信に用いられる。無線送受信機１１０は、プロセッサ１６０が出力するベースバンド信号（送信信号）を無線信号に変換して複数のアンテナ１０１から送信する送信部１１１を含む。また、無線送受信機１１０は、複数のアンテナ１０１が受信する無線信号をベースバンド信号（受信信号）に変換してプロセッサ１６０に出力する受信部１１２を含む。
【００４２】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００４３】
メモリ１５０は、プロセッサ１６０によって実行されるプログラムと、プロセッサ１６０による処理に使用される情報と、を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００４４】
図３は、ｅＮＢ２００のブロック図である。図３に示すように、ｅＮＢ２００は、複数のアンテナ２０１と、無線送受信機２１０と、ネットワークインターフェイス２２０と、メモリ２３０と、プロセッサ２４０と、を有する。メモリ２３０及びプロセッサ２４０は、制御部を構成する。なお、メモリ２３０をプロセッサ２４０と一体化し、このセット（すなわち、チップセット）をプロセッサとしてもよい。
【００４５】
複数のアンテナ２０１及び無線送受信機２１０は、無線信号の送受信に用いられる。無線送受信機２１０は、プロセッサ２４０が出力するベースバンド信号（送信信号）を無線信号に変換して複数のアンテナ２０１から送信する送信部２１１を含む。また、無線送受信機２１０は、複数のアンテナ２０１が受信する無線信号をベースバンド信号（受信信号）に変換してプロセッサ２４０に出力する受信部２１２を含む。
【００４６】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４７】
メモリ２３０は、プロセッサ２４０によって実行されるプログラムと、プロセッサ２４０による処理に使用される情報と、を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４８】
図４は、ＬＴＥシステムにおける無線インターフェイスのプロトコルスタック図である。図４に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００４９】
物理レイヤは、符号化・復号、変調・復調、アンテナマッピング・デマッピング、及びリソースマッピング・デマッピングを行う。ＵＥ１００の物理レイヤとｅＮＢ２００の物理レイヤとの間では、物理チャネルを介してデータが伝送される。
【００５０】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式（ＭＣＳ））、及び割当リソースブロックを決定するスケジューラを含む。
【００５１】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００５２】
ＰＤＣＰレイヤは、ヘッダ圧縮・伸張、及び暗号化・復号化を行う。
【００５３】
ＲＲＣレイヤは、制御プレーンでのみ定義される。ＵＥ１００のＲＲＣレイヤとｅＮＢ２００のＲＲＣレイヤとの間では、各種設定のための制御メッセージ（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態（ＲＲＣ  ｃｏｎｎｅｃｔｅｄ  ｓｔａｔｅ）であり、そうでない場合、ＵＥ１００はアイドル状態（ＲＲＣ  ｉｄｌｅ  ｓｔａｔｅ）である。
【００５４】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００５５】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００５６】
図５に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。リソースブロックは、周波数方向に複数個のサブキャリアを含む。ＵＥ１００に割り当てられる無線リソースのうち、周波数リソースはリソースブロックにより特定でき、時間リソースはサブフレーム（又はスロット）により特定できる。
【００５７】
下りリンクにおいて、各サブフレームの先頭数シンボルの区間は、主に制御信号を伝送するための物理下りリンク制御チャネル（ＰＤＣＣＨ）として使用される制御領域である。また、各サブフレームの残りの区間は、主にユーザデータを伝送するための物理下りリンク共有チャネル（ＰＤＳＣＨ）として使用できる領域である。
【００５８】
上りリンクにおいて、各サブフレームにおける周波数方向の両端部は、主に制御信号を伝送するための物理上りリンク制御チャネル（ＰＵＣＣＨ）として使用される制御領域である。また、各サブフレームにおける周波数方向の中央部は、主にユーザデータを伝送するための物理上りリンク共有チャネル（ＰＵＳＣＨ）として使用できる領域である。
【００５９】
（第１実施形態に係る動作）  
（１）動作概要
図６は、本実施形態に係る動作環境を示す図である。図６に示すように、マクロｅＮＢ（ＭｅＮＢ）２００−１のカバレッジ内にピコｅＮＢ（ＰｅＮＢ）２００−２及び２００−３が設置されている。すなわち、ＭｅＮＢ２００−１及びＰｅＮＢ２００−２は互いに隣接し、ＭｅＮＢ２００−１及びＰｅＮＢ２００−３は互いに隣接する。
【００６０】
ＭｅＮＢ２００−１は、大型のセル（マクロセル）を管理する。ＰｅＮＢ２００−２及び２００−３のそれぞれは、小型のセル（ピコセル）を管理する。また、ＰｅＮＢ２００−２のカバレッジ内にＵＥ１００が位置しており、ＵＥ１００はＰｅＮＢ２００−２と接続している。ＭｅＮＢ２００−１とＰｅＮＢ２００−２との間、及びＭｅＮＢ２００−１とＰｅＮＢ２００−３との間には、Ｘ２インターフェイスが確立されている。尚、ＰｅＮＢ２００−２及び２００−３の間にもＸ２インターフェイスが確立されていてもよい。
【００６１】
本実施形態では、ｅＮＢ２００の消費電力を削減する方法が異なる複数種類の省電力通信モードが規定される。省電力通信モードとは、ｅＮＢ２００の消費電力が削減された状態でＵＥ１００との通信を行うモードである。以下において、省電力通信モードを適宜「部分的オフ（Ｐａｒｔｉａｌ  ＯＦＦ）モード」と称する。省電力通信モードの詳細については後述する。
【００６２】
図６に示す動作環境において、ＰｅＮＢ２００−２が省電力通信モードを設定する場合を想定する。ＰｅＮＢ２００−２が省電力通信モードを設定すると、ＰｅＮＢ２００−２における通信容量及び／又は通信品質が低下するため、ＵＥ１００の通信に要求されるＱｏＳ（Ｑｕａｌｉｔｙ  ｏｆ  Ｓｅｒｖｉｃｅ）が満たされなくなる虞がある。ＱｏＳとは、遅延時間、スループット（帯域）、ジッタなどである。
【００６３】
本実施形態では、ＰｅＮＢ２００−２は、省電力通信モードを設定する前において、ＵＥ１００との通信に要求されるＱｏＳ（以下、「要求ＱｏＳ」という）に基づいて、隣接セル（ＭｅＮＢ２００−１）へのＵＥ１００のハンドオーバを制御する。具体的には、ＰｅＮＢ２００−２は、省電力通信モードを設定すると要求ＱｏＳを満たせない場合に、ＵＥ１００のハンドオーバを行った上で、省電力通信モードを設定する。これにより、サービス品質の低下を抑制しつつＰｅＮＢ２００−２のエナジーセービングを実現できる。また、省電力通信モードを設定しても要求ＱｏＳが満たされる場合には、ＵＥ１００のハンドオーバを行わないことにより、シグナリング及び処理負荷を抑制できる。
【００６４】
動作パターン１では、省電力通信モードの設定要求（Ｐａｒｔｉａｌ  ＯＦＦ  Ｒｅｑｕｅｓｔ）をＰｅＮＢ２００−２がＭｅＮＢ２００−１から受信したことに応じて、ＰｅＮＢ２００−２が省電力通信モードを設定する。これにより、ＭｅＮＢ２００−１主導でＰｅＮＢ２００−２の省電力通信モードを設定できる。
【００６５】
動作パターン２では、ＰｅＮＢ２００−２は、省電力通信モードが許可されるか否かの問い合わせ（Ｐａｒｔｉａｌ  ＯＦＦ  Ｉｎｑｕｉｒｙ）をＭｅＮＢ２００−１に送信する。そして、問い合わせ（Ｐａｒｔｉａｌ  ＯＦＦ  Ｉｎｑｕｉｒｙ）に対する肯定応答（Ｐａｒｔｉａｌ  ＯＦＦ  Ｒｅｓｐｏｎｓｅ）をＰｅＮＢ２００−２がＭｅＮＢ２００−１から受信したことに応じて、ＰｅＮＢ２００−２が省電力通信モードを設定する。これにより、ＰｅＮＢ２００−２主導でＰｅＮＢ２００−２の省電力通信モードを設定できる。
【００６６】
但し、ＰｅＮＢ２００−２は、ＭｅＮＢ２００−１からの要求又は許可を受けずに省電力通信モードを設定してもよい（動作パターン３）。
【００６７】
本実施形態では、ＰｅＮＢ２００−２は、ハンドオーバの手続においてＭｅＮＢ２００−１に送信するハンドオーバ要求に、省電力通信モード（すなわち、エナジーセービング）のためのハンドオーバであることを示す情報を含める。これにより、ＭｅＮＢ２００−１は、ハンドオーバ要求を受け入れるか否かを判断する際に、省電力通信モードの必要性を考慮した判断を行うことができる。
【００６８】
また、本実施形態では、ＰｅＮＢ２００−２は、省電力通信モードを設定した場合に、省電力通信モードを設定したことを示す完了通知（Ｐａｒｔｉａｌ  ＯＦＦ  Ｃｏｍｐｌｅｔｅ）をＭｅＮＢ２００−１に送信する。これにより、ＭｅＮＢ２００−１は、ＰｅＮＢ２００−２が省電力通信モードにあることを認識できる。
【００６９】
尚、ＰｅＮＢ２００−２は、ＰｅＮＢ２００−３にもシグナリングを行ってもよい。例えば、ＰｅＮＢ２００−２は、省電力通信モードを設定したことを示す完了通知（Ｐａｒｔｉａｌ  ＯＦＦ  Ｃｏｍｐｌｅｔｅ）をＰｅＮＢ２００−３にも送信してもよい。
【００７０】
（２）省電力通信モード
上述したように、本実施形態では、ｅＮＢ２００の消費電力を削減する方法が異なる複数種類の省電力通信モードが規定されている。
【００７１】
省電力通信モードの種類としては、「間欠送信（ＤＴＸ：Ｄｉｓｃｏｎｔｉｎｕｏｕｓ  Ｔｒａｎｓｍｉｓｓｉｏｎ）」、「送信アンテナ数削減（ＡＮＴ  ｒｅｄｕｃｅｄ）」、「送信電力削減（ＴｘＰｏｗｅｒ  ｒｅｄｕｃｅｄ）」、「処理能力削減（Ｃａｐａｃｉｔｙ  ｒｅｄｕｃｅｄ）」などがある。
【００７２】
間欠送信とは、ｅＮＢ２００が無線信号の送信を間欠的に行う省電力通信モードである。図７は、本実施形態に係る間欠送信を説明するための図である。図７に示すように、ｅＮＢ２００は、セル固有参照信号（ＣＲＳ）を間欠的に送信する。図７の例では、ＣＲＳは５サブフレームに１回の割合で送信されている。ｅＮＢ２００は、ＣＲＳを送信しない期間（サブフレーム）に送信停止区間（ＤＴＸ区間）を設定する。送信停止区間においては、ｅＮＢ２００の送信部２１１（特に、パワーアンプ）への給電を停止できるため、エナジーセービングを実現できる。
【００７３】
送信アンテナ数削減とは、ｅＮＢ２００が無線信号の送信に使用するアンテナ数（以下、「使用アンテナ数」という）を減少させる省電力通信モードである。図８は、本実施形態に係る送信アンテナ数削減を説明するための図である。図８に示すように、ｅＮＢ２００は、複数のアンテナ２０１のうちの一部のみを使用して無線信号を送信する。使用アンテナ数を減少させることにより、ｅＮＢ２００（特に、送信部２１１）の消費電力が低下するため、エナジーセービングを実現できる。
【００７４】
送信電力削減とは、ｅＮＢ２００が送信電力を低下させつつ、余剰無線リソースを使用して送信データの冗長伝送を行う省電力通信モードである。送信電力を低下させることにより、ｅＮＢ２００（特に、送信部２１１）の消費電力が低下するため、ｅＮＢ２００のエナジーセービングを実現できる。
【００７５】
処理能力削減とは、ｅＮＢ２００のカバレッジを維持しつつｅＮＢ２００の処理能力の上限値を所定値未満に抑える省電力通信モードである。ここで、所定値とは、プロセッサ２４０の処理能力の限界を超えないように設定された値ではなく、プロセッサ２４０の処理能力の限界よりも低く設定された値である。このような制限を行うことにより、ｅＮＢ２００（特に、プロセッサ２４０）の消費電力を低下しつつ、サービス品質の低下を抑制できる。
【００７６】
また、処理能力削減の一種として、通信容量削減がある。通信容量削減とは、ｅＮＢ２００と接続可能なＵＥ数又はｅＮＢ２００が割当可能な無線リソース量を制限する省電力通信モードである。このような制限を行うことにより、ｅＮＢ２００（特に、プロセッサ２４０）の消費電力が低下するため、ｅＮＢ２００のエナジーセービングを実現できる。
【００７７】
ｅＮＢ２００のカバレッジを維持しつつｅＮＢ２００の処理負荷を所定値未満に抑える方法として、例えば、上述したｅＮＢ２００と接続可能なＵＥ数を制限する方法、同時に処理するＵＥ数を制限する方法、スケジューリングアルゴリズムの変更などにより計算量を低減する方法などがある。なお、同時に処理するＵＥ数とは、スケジューリングするＵＥ数、呼制御するＵＥ数などである。
【００７８】
なお、ｅＮＢ２００のカバレッジを維持するため、ｅＮＢ２００の無線送受信機２１０の受信機能は、受信可能な状態（又は、間欠的に受信可能な状態）である。
【００７９】
（３）動作シーケンス
次に、本実施形態に係る動作シーケンスについて、動作パターン１から３の順に説明する。
【００８０】
（３．１）動作パターン１
図９は、本実施形態に係る動作パターン１のシーケンス図である。動作パターン１では、ＭｅＮＢ２００−１主導でＰｅＮＢ２００−２のエナジーセービングを行う。初期状態において、ＰｅＮＢ２００−２にはＵＥ１００−１及び１００−２が接続している。
【００８１】
図９に示すように、ステップＳ１０１において、ＭｅＮＢ２００−１は、ＰｅＮＢ２００−２のエナジーセービングを行うか否かを判断する。この判断は、以下の第１の判断方法乃至第３の判断方法の何れかに従って行われる。
【００８２】
第１の判断方法として、ＭｅＮＢ２００−１は、ＭｅＮＢ２００−１及び／又はＰｅＮＢ２００−２におけるトラフィック状況（接続ＵＥ数、送受信データ量、又は無線リソース使用率など）の時間変動に基づいて、ＰｅＮＢ２００−２のエナジーセービングを行うか否かを判断する。例えば、ＭｅＮＢ２００−１は、送受信データ量などの少ない時間帯においてＰｅＮＢ２００−２のエナジーセービングを行うと判断する。或いは、ＭｅＮＢ２００−１は、ＰｅＮＢ２００−２の接続ＵＥ数が閾値を下回った場合に、ＰｅＮＢ２００−２のエナジーセービングを行うと判断する。
【００８３】
第２の判断方法として、ＭｅＮＢ２００−１は、ＯＡＭ（Ｏｐｅｒａｔｉｏｎ  ａｎｄ  Ｍａｉｎｔｅｎａｎｃｅ）からの指示（エナジーセービングＯＮ／ＯＦＦコマンド）に基づいて、ＰｅＮＢ２００−２のエナジーセービングを行うか否かを判断する。
【００８４】
第３の判断方法として、ＭｅＮＢ２００−１は、ＭｅＮＢ２００−１の電源供給状況、又はＰｅＮＢ２００−２の電源供給状況に基づいて、エナジーセービングを行うか否かを判断する。ＰｅＮＢ２００−２の電源供給状況をＭｅＮＢ２００−１に通知すれば、ＭｅＮＢ２００−１がＰｅＮＢ２００−２の電源供給状況を把握できる。例えば、ＭｅＮＢ２００−１は、ＰｅＮＢ２００−２の電源供給が遮断された場合(バッテリ駆動となった場合)、ＰｅＮＢ２００−２のバッテリ残量が規定値を下回った場合、又はＰｅＮＢ２００−２の自家発電電力(ソーラー等)の出力電力が規定値を下回った場合などにおいて、ＰｅＮＢ２００−２のエナジーセービングを行うと判断する。
【００８５】
次に、ステップＳ１０２において、ＭｅＮＢ２００−１は、省電力通信モードの設定要求（Ｐａｒｔｉａｌ  ＯＦＦ  Ｒｅｑｕｅｓｔ）をＰｅＮＢ２００−２に送信する。設定要求（Ｐａｒｔｉａｌ  ＯＦＦ  Ｒｅｑｕｅｓｔ）は、ＰｅＮＢ２００−２に要求される省電力通信モードの種類及び設定のうち少なくとも一方を示す情報を含む。省電力通信モードの設定とは、例えば、省電力通信モードの種類が間欠送信であれば間欠送信パターン（送信部２１１の起動周期、又は送信停止サブフレーム番号（又は送信停止システムフレーム番号）など）であり、省電力通信モードの種類が送信アンテナ数削減であれば送信アンテナ数（又は使用停止するアンテナの番号など）である。
【００８６】
ステップＳ１０３において、ＰｅＮＢ２００−２は、設定要求（Ｐａｒｔｉａｌ  ＯＦＦ  Ｒｅｑｕｅｓｔ）の受信に応じて、要求された省電力通信モードを設定した場合の自セルの通信容量を算出する。
【００８７】
ステップＳ１０４において、ＰｅＮＢ２００−２は、自セル内のＵＥ１００（ＵＥ１００−１及び１００−２）のそれぞれの要求ＱｏＳを確認する。要求ＱｏＳは、例えばＵＥが確立した無線ベアラに対応するＱＣＩ（Ｑｕａｌｉｔｙ  Ｃｌａｓｓ  Ｉｄｅｎｔｉｆｉｅｒ）に基づいて判別される。
【００８８】
ステップＳ１０５において、ＰｅＮＢ２００−２は、要求された省電力通信モードを設定した場合に要求ＱｏＳが満たせるか否かに応じて、自セル内のＵＥ１００のハンドオーバを行うか否かを判断する。省電力通信モードを設定した場合に要求ＱｏＳが満たせないのであれば、要求ＱｏＳが満たされないＵＥ１００のハンドオーバを行うと判断する。ここでは、ＵＥ１００−１のハンドオーバを行うと判断したと仮定して、説明を進める。
【００８９】
ステップＳ１０６において、ＰｅＮＢ２００−２は、受信状態（受信電力及び／又は受信品質）の測定を指示するための設定情報（Ｍｅａｓｕｒｅｍｅｎｔ  Ｃｏｎｆｉｇ．）をＵＥ１００−１に送信する。
【００９０】
ステップＳ１０７において、ＵＥ１００−１は、設定情報（Ｍｅａｓｕｒｅｍｅｎｔ  Ｃｏｎｆｉｇ．）に基づいてサービングセル（ＰｅＮＢ２００−２）及び隣接セル（ＭｅＮＢ２００−１）に対する測定を行い、測定結果の報告（Ｍｅａｓｕｒｅｍｅｎｔ  Ｒｅｐｏｒｔ）をＰｅＮＢ２００−２に送信する。
【００９１】
ステップＳ１０８において、ＰｅＮＢ２００−２は、ＵＥ１００−１からの測定結果の報告（Ｍｅａｓｕｒｅｍｅｎｔ  Ｒｅｐｏｒｔ）に基づいて、ＵＥ１００−１のハンドオーバ先を決定する。ここでは、ＭｅＮＢ２００−１がハンドオーバ先であると仮定して、説明を進める。
【００９２】
ステップＳ１０９において、ＰｅＮＢ２００−２は、ハンドオーバ要求をＭｅＮＢ２００−１に送信する。
【００９３】
ステップＳ１１０において、ＭｅＮＢ２００−１は、ハンドオーバ要求を受け入れるか否かを判断する。ここでは、ハンドオーバ要求を受け入れると判断されたと仮定して、説明を進める。尚、ハンドオーバ要求に、省電力通信モード（すなわち、エナジーセービング）のためのハンドオーバであることを示す情報を含めてもよい。
【００９４】
ステップＳ１１１において、ＭｅＮＢ２００−１は、ハンドオーバ要求に対する肯定応答（ＡＣＫ）をＰｅＮＢ２００−２に送信する。
【００９５】
ステップＳ１１２において、ＰｅＮＢ２００−２は、肯定応答（ＡＣＫ）の受信に応じて、ＭｅＮＢ２００−１へのハンドオーバの指示（Ｈａｎｄｏｖｅｒ  Ｃｏｍｍａｎｄ）をＵＥ１００−１に送信する。
【００９６】
ステップＳ１１３において、ＵＥ１００−１は、ハンドオーバ指示（Ｈａｎｄｏｖｅｒ  Ｃｏｍｍａｎｄ）の受信に応じて、ＭｅＮＢ２００−１へのハンドオーバを行う。そして、ＵＥ１００−１は、ハンドオーバにより、ＭｅＮＢ２００−１との接続を確立する（ステップＳ１１４）。
【００９７】
ステップＳ１１５において、ＰｅＮＢ２００−２は、要求された省電力通信モード（Ｐａｒｔｉａｌ  ＯＦＦ）を設定する。
【００９８】
ステップＳ１１６において、ＰｅＮＢ２００−２は、省電力通信モードを設定した旨の完了通知（Ｐａｒｔｉａｌ  ＯＦＦ  Ｃｏｍｐｌｅｔｅ）をＭｅＮＢ２００−１に送信する。完了通知（Ｐａｒｔｉａｌ  ＯＦＦ  Ｃｏｍｐｌｅｔｅ）は、ＰｅＮＢ２００−２が設定した省電力通信モードの種類及び設定のうち少なくとも一方を示す情報を含んでもよい。
【００９９】
このように、省電力通信モードの種類及び設定をｅＮＢ２００間で通知することにより、ＭｅＮＢ２００−１は、ＰｅＮＢ２００−２の省電力通信モードの種類及び設定を考慮して適切な制御を行うことができる。例えば、ＰｅＮＢ２００−２が特定のサブフレーム（又は特定のフレーム）で送信停止する間欠送信（ＤＴＸ）を行っている場合に、ＭｅＮＢ２００−１は、その特定のサブフレーム（又はその特定のフレーム）において自身の配下のＵＥ１００に対してデータレートが高い値（すなわち、所定値以上）となるＭＣＳを割り当てることができる。例えば、ＭｅＮＢ２００−１は、その特定のサブフレームにおいて、変調方式が６４ＱＡＭとなるＭＣＳをＵＥ１００に対して割り当てることができる。また、ＭｅＮＢ２００−１は、ＰｅＮＢ２００−２の省電力通信モードの種類及び設定を考慮して、自身の配下のＵＥ１００に対して適切な測定の設定（Ｍｅａｓｕｒｅｍｅｎｔ  Ｃｏｎｆｉｇ．）を行うことができる。
【０１００】
（３．２）動作パターン２
図１０は、本実施形態に係る動作パターン２のシーケンス図である。動作パターン２は、ＰｅＮＢ２００−２主導でＰｅＮＢ２００−２のエナジーセービングを行うパターンである。初期状態において、ＰｅＮＢ２００−２にはＵＥ１００−１及び１００−２が接続している。尚、動作パターン１と重複する説明については適宜省略する。
【０１０１】
図１０に示すように、ステップＳ２０１において、ＰｅＮＢ２００−２は、自身のエナジーセービングを行うか否かを判断する。この判断は、以下の第１の判断方法乃至第３の判断方法の何れかに従って行われる。
【０１０２】
第１の判断方法として、ＰｅＮＢ２００−２は、自セル内のトラフィック状況（セル内の接続ＵＥ数、送受信データ量、又は無線リソース使用率など）の時間変動に基づいて、ＰｅＮＢ２００−２のエナジーセービングを行うか否かを判断する。具体的には、トラフィック（送受信データ量）の少ない時間帯においてエナジーセービングを行うと判断する。
【０１０３】
第２の判断方法として、ＰｅＮＢ２００−２は、ＯＡＭ（Ｏｐｅｒａｔｉｏｎ  ａｎｄ  Ｍａｉｎｔｅｎａｎｃｅ）からの指示（エナジーセービングＯＮ／ＯＦＦコマンド）に基づいてエナジーセービングを行うか否かを判断する。
【０１０４】
第３の判断方法として、ＭｅＮＢ２００−１は、ＭｅＮＢ２００−１の電源供給状況、又はＰｅＮＢ２００−２の電源供給状況に基づいて、エナジーセービングを行うか否かを判断する。ＭｅＮＢ２００−１の電源供給状況をＰｅＮＢ２００−２に通知すれば、ＰｅＮＢ２００−２がＭｅＮＢ２００−１の電源供給状況を把握できる。例えば、ＰｅＮＢ２００−２は、自身の電源供給が遮断された場合(バッテリ駆動となった場合)、自身のバッテリ残量が規定値を下回った場合、自身の自家発電電力(ソーラー等)が規定値を下回った場合などにおいてエナジーセービングを行うと判断する。
【０１０５】
ステップＳ２０２において、ＰｅＮＢ２００−２は、省電力通信モードが許可されるか否かの問い合わせ（Ｐａｒｔｉａｌ  ＯＦＦ  Ｉｎｑｕｉｒｙ）をＭｅＮＢ２００−１に送信する。問い合わせ（Ｐａｒｔｉａｌ  ＯＦＦ  Ｉｎｑｕｉｒｙ）は、省電力通信モードを設定することによりＭｅＮＢ２００−１に要求される通信容量を示す情報を含む。或いは、問い合わせ（Ｐａｒｔｉａｌ  ＯＦＦ  Ｉｎｑｕｉｒｙ）は、ＰｅＮＢ２００−２が予定する省電力通信モードの種類及び設定のうち少なくとも一方を示す情報を含む。
【０１０６】
尚、問い合わせ（Ｐａｒｔｉａｌ  ＯＦＦ  Ｉｎｑｕｉｒｙ）は、ＰｅＮＢ２００−２配下のＵＥ数を示す情報を含んでもよい。これにより、ＭｅＮＢ２００−１はハンドオーバ受入れ可否予測や影響を受けるＵＥ数を考慮した判断を実施できる。
【０１０７】
尚、ＰｅＮＢ２００−２は、問い合わせ（Ｐａｒｔｉａｌ  ＯＦＦ  Ｉｎｑｕｉｒｙ）の送信時にタイマを起動し、タイマがある一定時間を超えた場合は、再度問い合わせを行ってもよい。
【０１０８】
ステップＳ２０３において、ＭｅＮＢ２００−１は、問い合わせ（Ｐａｒｔｉａｌ  ＯＦＦ  Ｉｎｑｕｉｒｙ）に対する肯定応答（Ｐａｒｔｉａｌ  ＯＦＦ  Ｒｅｓｐｏｎｓｅ）をＰｅＮＢ２００−２に送信する。肯定応答（Ｐａｒｔｉａｌ  ＯＦＦ  Ｒｅｓｐｏｎｓｅ）は、ＭｅＮＢ２００−１の通信容量（余剰容量）を示す情報を含んでもよい。
【０１０９】
ステップＳ２０４において、ＰｅＮＢ２００−２は、受信状態（受信電力及び／又は受信品質）の測定を指示するための設定情報（Ｍｅａｓｕｒｅｍｅｎｔ  Ｃｏｎｆｉｇ．）をＵＥ１００−１及び１００−２のそれぞれに送信する。
【０１１０】
ステップＳ２０５において、ＵＥ１００−１及び１００−２のそれぞれは、設定情報（Ｍｅａｓｕｒｅｍｅｎｔ  Ｃｏｎｆｉｇ．）に基づいてサービングセル（ＰｅＮＢ２００−２）及び隣接セル（ＭｅＮＢ２００−１）に対する測定を行い、測定結果の報告（Ｍｅａｓｕｒｅｍｅｎｔ  Ｒｅｐｏｒｔ）をＰｅＮＢ２００−２に送信する。
【０１１１】
ステップＳ２０６において、ＰｅＮＢ２００−２は、ＵＥ１００−１及び１００−２のそれぞれからの測定結果の報告（Ｍｅａｓｕｒｅｍｅｎｔ  Ｒｅｐｏｒｔ）に基づいて、ＵＥ１００−１及び１００−２のそれぞれのハンドオーバ先（候補）を決定する。ここでは、ＭｅＮＢ２００−１がハンドオーバ先（候補）として決定されたと仮定して、説明を進める。
【０１１２】
ステップＳ２０７において、ＰｅＮＢ２００−２は、ＵＥ１００−１及び１００−２のそれぞれの要求ＱｏＳを確認する。
【０１１３】
ステップＳ２０８において、ＰｅＮＢ２００−２は、省電力通信モードを設定した場合に要求ＱｏＳが満たせるか否かに応じて、ＵＥ１００−１及び／又は１００−２のハンドオーバを行うか否かを判断する。ＰｅＮＢ２００−２は、自セルの通信容量及び／又は隣接セル（ＭｅＮＢ２００−１）の通信容量に基づいて、要求ＱｏＳが満たせるか否かを確認してもよい。例えば、省電力通信モードを設定した場合にＵＥ１００−１について自セルでは要求ＱｏＳを満たせず、ＭｅＮＢ２００−１では要求ＱｏＳが満たされると判断し、ＭｅＮＢ２００−１へのＵＥ１００−１のハンドオーバを行うと判断する。
【０１１４】
ステップＳ２０９において、ＰｅＮＢ２００−２は、ハンドオーバ要求をＭｅＮＢ２００−１に送信する。ＰｅＮＢ２００−２は、ハンドオーバ要求に、省電力通信モード（エナジーセービング）のためのハンドオーバであることを示す情報を含める。
【０１１５】
ステップＳ２１０において、ＭｅＮＢ２００−１は、ハンドオーバ要求を受け入れるか否かを判断する。ここでは、ハンドオーバ要求を受け入れると判断されたと仮定して、説明を進める。以降の手順（ステップＳ２１１乃至Ｓ２１４）は、動作パターン１と同様である。
【０１１６】
尚、本シーケンスにおいて、ステップＳ２０４及びＳ２０５の手順をステップＳ２０２の前に行ってもよい。これにより、ＵＥ１００のハンドオーバ先を明確化し、かつ、必要となる通信容量を算出した上で、問い合わせ（Ｐａｒｔｉａｌ  ＯＦＦ  Ｉｎｑｕｉｒｙ）を行うことができる。
【０１１７】
（３．３）動作パターン３
図１１は、本実施形態に係る動作パターン３のシーケンス図である。
【０１１８】
動作パターン３は、ＭｅＮＢ２００−１に問い合わせることなくＰｅＮＢ２００−２が省電力通信モードを設定する点で動作パターン２と異なるが、その他の手順（ステップＳ３０１乃至Ｓ３１３）は動作パターン２と同様である。但し、動作パターン３では、ＰｅＮＢ２００−２は、ハンドオーバ要求に、省電力通信モードの種類及び設定のうち少なくとも一方を示す情報を含めてもよい（ステップＳ３０７）。
【０１１９】
（４）省電力通信モード選択処理
上述したステップＳ１０１、ステップＳ２０１、及びステップＳ３０１においては、予め定められた優先順位、又は、ＰｅＮＢ２００−２（及び／又はＭｅＮＢ２００−１）の処理能力／通信容量（キャパシティ）に基づいて、ＰｅＮＢ２００−２が設定すべき省電力通信モードが選択される。優先順位は、隣接セルへの干渉を低減する順であってもよく、自セルのカバレッジに影響が無い順であってもよい。
【０１２０】
また、優先順位に従って、省電力通信モードを適用した場合の通信容量を順次推定し、要求ＱｏＳが満たされることを確認した上でその省電力通信モードを適用してもよい。
【０１２１】
或いは、優先順位に従って省電力通信モードを適用し、その時の通信容量の減少が大きければ省電力通信モードを再選択してもよい。
【０１２２】
尚、ＵＥ１００との通信の開始又は終了をトリガとして、省電力通信モードを（再）選択してもよい。
【０１２３】
図１２は、省電力通信モード選択処理のフロー図である。ここでは、干渉を低減する順に省電力通信モードを選択する場合について説明する。また、省電力通信モードの選択をＰｅＮＢ２００−２が行う。
【０１２４】
図１２に示すように、ＰｅＮＢ２００−２は、間欠送信（ＤＴＸ）、送信アンテナ数削減（ＡＮＴ  ｒｅｄｕｃｅｄ）、処理能力削減（Ｃａｐａｃｉｔｙ  ｒｅｄｕｃｅｄ）、送信電力削減（ＴｘＰｏｗｅｒ  ｒｅｄｕｃｅｄ）の順に、適用の可否を判定する。具体的には、ＰｅＮＢ２００−２は、間欠送信を適用し（ステップＳ４０１）、通信容量に余裕があれば（又は更なる省電力化が必要であれば）、送信アンテナ数削減を適用する（ステップＳ４０２、Ｓ４０３）。
【０１２５】
また、送信アンテナ数削減を適用しても通信容量に余裕があれば（又は更なる省電力化が必要であれば）、通信容量削減（処理能力削減）を適用する（ステップＳ４０４、Ｓ４０５）。
【０１２６】
さらに、通信容量削減を適用しても通信容量に余裕があれば（又は更なる省電力化が必要であれば）、送信電力削減を適用する（ステップＳ４０６、Ｓ４０７）。
【０１２７】
尚、省電力通信モードを通信停止モード（ＵＥ１００との通信を行わないモード）と併用する場合には、最終的に通信停止モードを適用してもよい。
【０１２８】
（５）メッセージ構成例
上述した省電力通信モードの設定通知（Ｐａｒｔｉａｌ  ＯＦＦ  Ｃｏｍｐｌｅｔｅ）、省電力通信モードの設定要求（Ｐａｒｔｉａｌ  ＯＦＦ  Ｒｅｑｕｅｓｔ）、省電力通信モードの問い合わせ（Ｐａｒｔｉａｌ  ＯＦＦ  Ｉｎｑｕｉｒｙ）を、既存のＸ２メッセージの情報要素としてもよい。
【０１２９】
図１３及び図１４は、本実施形態に係るｅＮＢ  Ｃｏｎｆｉｇｕｒａｔｉｏｎ  Ｕｐｄａｔｅメッセージを説明するための図である。図１３に示すように、ｅＮＢ  Ｃｏｎｆｉｇｕｒａｔｉｏｎ  Ｕｐｄａｔｅメッセージは、Ｘ２メッセージの一種であり、主に、ｅＮＢ２００における設定変更を隣接ｅＮＢ２００に通知するためのメッセージである。図１４に示すように、本実施形態に係るｅＮＢ  Ｃｏｎｆｉｇｕｒａｔｉｏｎ  Ｕｐｄａｔｅメッセージは、省電力通信モードの設定通知（Ｐａｒｔｉａｌ  ＯＦＦ  Ｃｏｍｐｌｅｔｅ）に関する情報を含む。
【０１３０】
図１５及び図１６は、本実施形態に係るＣｅｌｌ  Ａｃｔｉｖａｔｉｏｎ  Ｒｅｑｕｅｓｔメッセージを説明するための図である。図１５に示すように、Ｃｅｌｌ  Ａｃｔｉｖａｔｉｏｎ  Ｒｅｑｕｅｓｔメッセージは、Ｘ２メッセージの一種であり、主に、ｅＮＢ２００が隣接ｅＮＢ２００に対してセルの起動を要求するためのメッセージである。図１６に示すように、本実施形態に係るＣｅｌｌ  Ａｃｔｉｖａｔｉｏｎ  Ｒｅｑｕｅｓｔメッセージは、省電力通信モードの設定要求（Ｐａｒｔｉａｌ  ＯＦＦ  Ｒｅｑｕｅｓｔ）に関する情報を含む。
【０１３１】
［第２実施形態］
次に、第２実施形態について説明する。なお、上述の実施形態と異なる部分を中心に説明し、同様の部分は、説明を適宜省略する。
【０１３２】
（１）動作概要
本実施形態に係る動作概要を説明する。
【０１３３】
上述した第１実施形態では、ＭｅＮＢ２００−１主導でＰｅＮＢ２００−２のエナジーセービングを行うケース（動作パターン１）及びＰｅＮＢ２００−２主導でＰｅＮＢ２００−２のエナジーセービングを行うケース（動作パターン２）を説明したが、本実施形態では、マスターｅＮＢ（Ｍａｓｔｅｒ−ｅＮＢ）２００−３主導でスレイブｅＮＢ（Ｓｌａｖｅ−ｅＮＢ）２００−４のエナジーセービングを行うケースを説明する。
【０１３４】
ここで、マスターｅＮＢ２００−３は、スレイブｅＮＢ２００−４のエナジーセービングを制御するｅＮＢ２００である。従って、マスターｅＮＢ２００−３とスレイブｅＮＢ２００−４との関係は、ＭｅＮＢ２００−１とＰｅＮＢ２００−２との関係だけでなく、同列のｅＮＢ２００関係であってもよい。なお、本実施形態において、マスターｅＮＢ２００−３とスレイブｅＮＢ２００−４との関係は、隣接ｅＮＢの関係である。また、マスターｅＮＢ２００−３とスレイブｅＮＢ２００−４との間には、Ｘ２インターフェイスが確立されている。
【０１３５】
また、マスターｅＮＢ２００−３及びスレイブｅＮＢ２００−４の決定について、ｅＮＢ２００どうしがネゴシエーションして、マスターｅＮＢ２００−３及びスレイブｅＮＢ２００−４を決定してもよい。
【０１３６】
例えば、ｅＮＢ２００−４が、ｅＮＢ２００−３に対して、ｅＮＢ２００−４における省電力通信モードの設定をｅＮＢ２００−３が制御することを要求する。すなわち、ｅＮＢ２００−４は、ｅＮＢ２００−３がマスターｅＮＢ２００−４になることを要求する。ｅＮＢ２００−３は、ｅＮＢ２００−４からの要求を受け入れるか判断する。ｅＮＢ２００−３は、ｅＮＢ２００−４からの要求を受け入れると判断した場合、ｅＮＢ２００−４に対して、ｅＮＢ２００−４からの要求を受け入れる旨の応答を送信する。ｅＮＢ２００−４が、当該応答を受信することによって、マスターｅＮＢ２００−３とスレイブｅＮＢ２００−４との関係が成立する。
【０１３７】
或いは、ｅＮＢ２００−３が、ｅＮＢ２００−４に対して、ｅＮＢ２００−４における省電力通信モードの設定をｅＮＢ２００−３が制御することを要求する。すなわち、ｅＮＢ２００−３は、ｅＮＢ２００−４がスレイブｅＮＢ２００−４になることを要求する。ｅＮＢ２００−４は、ｅＮＢ２００−３からの要求を受け入れるか判断する。ｅＮＢ２００−４は、ｅＮＢ２００−３からの要求を受け入れると判断した場合、ｅＮＢ２００−３に対して、ｅＮＢ２００−２からの要求を受け入れる旨の応答を送信する。ｅＮＢ２００−３が、当該応答を受信することによって、マスターｅＮＢ２００−３とスレイブｅＮＢ２００−４との関係が成立する。
【０１３８】
なお、上記ｅＮＢ２００−３又はｅＮＢ２００−４からの要求は、自セルサイズ（例えば、送信電力）を含んでいてもよい。当該要求を受信したｅＮＢ２００−３又はｅＮＢ２００−４は、自セルサイズ（例えば、送信電力）と当該要求の送信元のセルサイズとを比較して、当該要求を受け入れるか否かを判断してもよい。また、ｅＮＢ２００−３又はｅＮＢ２００−４は、隣接ｅＮＢ２００がマスターｅＮＢ２００又はスレイブｅＮＢ２００であるかを示すマスター／スレイブｅＮＢ情報に基づいて、当該要求を受け入れるか否かを判断してもよい。例えば、すでに他の隣接ｅＮＢ２００がｅＮＢ２００−４におけるマスターｅＮＢ２００である場合、ｅＮＢ２００−３からの要求を拒否すると判断してもよいし、ｅＮＢ２００−３が他のｅＮＢ２００に対してもマスターｅＮＢ２００−３である場合、ｅＮＢ２００−４からの要求を受け入れると判断してもよい。なお、マスター／スレイブｅＮＢ情報は、ｅＮＢ２００が保持する隣接セルリストに記録されていてもよいし、専用のテーブルに記録されていてもよい。ｅＮＢ２００−３及びｅＮＢ２００−４は、当該専用のテーブルを（例えば、当該専用のテーブルを更新した場合に、）交換してもよい。
【０１３９】
このように、ｅＮＢ２００どうしのネゴシエーションによって、マスターｅＮＢ２００−３及びスレイブｅＮＢ２００−４を決定することによって、ＳＯＮ及びｅＮＢ間で協調したエナジーセービングが可能となる。
【０１４０】
また、ｅＮＢ２００どうしのネゴシエーションだけでなく、上位ネットワーク（例えば、ＯＡＭ）からの指示によってマスターｅＮＢ２００−３及びスレイブｅＮＢ２００−４が決定されてもよい。
【０１４１】
（２）動作シーケンス
次に、第２実施形態に係る動作シーケンスについて、図１７を用いて説明する。図１７は、第２実施形態に係る動作パターンのシーケンス図である。
【０１４２】
図１７に示すように、ステップＳ５０１において、マスターｅＮＢ２００−３は、スレイブｅＮＢ２００−４のエナジーセービングを行うか否かを判断する。この判断は、動作パターン１のステップＳ１０１における判断方法に従って行われる。
【０１４３】
ステップＳ５０２において、マスターｅＮＢ２００−３は、省電力通信モードの設定要求をスレイブｅＮＢ２００−４に送信する。具体的には、マスターｅＮＢ２００−３は、省電力通信モードとして処理能力削減の設定を示す情報を含む設定要求（Ｃａｐａｃｉｔｙ−ｒｅｄｕｃｅｄ  Ｍｏｄｅ  Ｒｅｑｕｅｓｔ）をスレイブｅＮＢ２００−４に送信する。スレイブｅＮＢ２００−４は、当該設定要求を受信する。
【０１４４】
本実施形態において、設定要求は、処理能力削減を設定するための設定情報（Ｃａｐａｃｉｔｙ−ｒｅｄｕｃｅｄ  Ｃｏｎｆｉｇ．）を含む。設定情報の一例として、同時に処理するＵＥ数の上限数、省電力通信モードを開始する時刻、省電力通信モードを終了する時刻、省電力通信モードの設定期間を示すタイマ値などが挙げられる。
【０１４５】
ステップＳ５０３において、スレイブｅＮＢ２００−４は、設定要求に従って要求された省電力通信モードが設定されたと仮定した場合におけるスレイブｅＮＢ２００−４の予想処理能力Ｃ１を算出する。
【０１４６】
ステップＳ５０４において、スレイブｅＮＢ２００−４は、スレイブｅＮＢ２００−４が現在要求されている要求処理能力Ｃ２を算出する。例えば、スレイブｅＮＢ２００−４は、スレイブｅＮＢ２００−４の接続ＵＥ数に基づいて、要求処理能力を算出する。
【０１４７】
ステップＳ５０５において、スレイブｅＮＢ２００−４は、予想処理能力Ｃ１が要求処理能力Ｃ２を下回っているか否かを判定する。スレイブｅＮＢ２００−４は、予想処理能力Ｃ１が要求処理能力Ｃ２を下回っている場合（「Ｙｅｓ」の場合）、ステップＳ５０６の処理を実行する。一方、スレイブｅＮＢ２００−４は、予想処理能力Ｃ１が要求処理能力Ｃ２を下回っていない場合（「Ｎｏ」の場合）、ステップＳ５０９の処理を実行する。
【０１４８】
ステップＳ５０６において、スレイブｅＮＢ２００−４は、設定要求に従って省電力通信モードを設定するか否かの問い合わせ（Ｃａｐａｃｉｔｙ  Ｉｎｑｕｉｒｅｙ）をマスターｅＮＢ２００−３に送信する。マスターｅＮＢ２００−３は、当該問い合わせを受信する。
【０１４９】
当該問い合わせは、予想処理能力Ｃ１及び要求処理能力Ｃ２を示す情報を含んでもよい。
【０１５０】
マスターｅＮＢ２００−３は、当該問い合わせの受信に応じて、設定要求に従って省電力通信モードを設定させるか否かの判定を行う。
【０１５１】
ステップＳ５０７において、マスターｅＮＢ２００−３は、当該問い合わせの応答として省電力通信モードを設定させるか否かの判定結果（Ｃａｐａｃｉｔｙ  Ｒｅｓｐｏｎｃｅ）をスレイブｅＮＢ２００−４に送信する。スレイブｅＮＢ２００−４は、判定結果を受信する。
【０１５２】
当該判定結果は、設定要求に従って省電力通信モードを設定させる又は設定させないことを示す情報を含む。また、当該判定結果は、設定要求に従って省電力通信モードをさせないことを示す情報とともに、他の省電力通信モードを設定することを示す情報を含んでもよい。
【０１５３】
なお、マスターｅＮＢ２００−３は、当該判定結果の代わりに、新たな省電力通信モードの設定要求を送信してもよい。
【０１５４】
ステップＳ５０８において、スレイブｅＮＢ２００−４は、当該判定結果に基づいて、省電力通信モードを設定するか否かを判定する。スレイブｅＮＢ２００−４は、省電力通信モードを設定する場合（「Ｙｅｓ」の場合）、ステップＳ５０９の処理を実行し、省電力通信モードを設定しない場合（「Ｎｏ」の場合）、処理を終了する。
【０１５５】
ステップＳ５０９において、スレイブｅＮＢ２００−４は、設定要求に従って省電力通信モードをする。本実施形態において、スレイブｅＮＢ２００−４は、処理能力削減モードを設定する。
【０１５６】
ステップＳ５１０において、スレイブｅＮＢ２００−４は、状態更新情報（Ｓｔａｔｕｓ  ｕｐｄａｔｅ）をマスターｅＮＢ２００−３に送信する。マスターｅＮＢ２００−３は、状態更新情報を受信する。
【０１５７】
状態更新情報は、省電力通信モードの設定に関する情報、設定した省電力通信モードにおける同時に処理するＵＥ数の上限数（ｍａｘ  ♯  ｏｆ  ＵＥｓ）及び省電力通信モードの終了時間に関する閾値（ｔｉｍｅｒ  ｔｈｒｅｓｈｏｌｄ）の少なくともいずれかを示す情報を含む。電力通信モードの終了時間に関する閾値は、省電力通信モードを終了する時刻、省電力通信モードの設定期間を示すタイマ値（設定タイマの満了値）などである。
【０１５８】
本実施形態において、状態更新情報は、処理能力削減モードを設定したことを示す情報を含む。
【０１５９】
なお、スレイブｅＮＢ２００−４は、状態更新情報をマスターｅＮＢ２００−３だけでなく、上位ネットワーク（例えば、ＯＡＭ）、ＭｅＮＢ２００、隣接ｅＮＢ２００などに送信してもよい。
【０１６０】
ステップＳ５１１において、スレイブｅＮＢ２００−４は、省電力通信モードの設定タイマ（ｒｅｃｏｖｅｒｙ  ｔｉｍｅｒ）を起動する。
【０１６１】
ステップＳ５１２において、スレイブｅＮＢ２００−４は、設定タイマが満了したか否かを判定する。スレイブｅＮＢ２００−４は、設定タイマが満了した場合（「Ｙｅｓ」の場合）、ステップＳ５１３の処理を実行し、設定タイマが満了していない場合（「Ｎｏ」の場合）、ステップＳ５１２の処理を繰り返す。
【０１６２】
ステップＳ５１３において、スレイブｅＮＢ２００−４は、省電力通信モードを終了する。本実施形態において、スレイブｅＮＢ２００−４は、処理能力削減モードの設定を解除する。
【０１６３】
ステップＳ５１４において、スレイブｅＮＢ２００−４は、状態更新情報をマスターｅＮＢ２００−３に送信する。マスターｅＮＢ２００−３は、状態更新情報を受信する。本実施形態において、状態更新情報は、通常モード（Ｎｏｒｍａｌ  ｏｐｅｒａｔｉｏｎ  ｍｏｄｅ）に設定したことを示す情報を含む。
【０１６４】
［その他の実施形態］
上述した実施形態では、ＰｅＮＢ２００−２からのハンドオーバ先候補がＭｅＮＢ２００−１のみである場合を想定していたが、ハンドオーバ先候補が複数存在する場合にはＵＥ１００の能力又はカテゴリ（アンテナ本数など）を考慮して適切なハンドオーバ先を決定することが望ましい。
【０１６５】
また、上述した第２実施形態では、ｅＮＢ２００（具体的には、ＰｅＮＢ２００−２）は、要求された省電力通信モードを設定した場合に要求ＱｏＳが満たせるか否かに応じて、自セル内のＵＥ１００のハンドオーバを行うか否かを判断していたが、要求ＱｏＳだけでなく、ＲＳＲＰ（Ｒｅｆｅｒｅｎｃｅ  Ｓｉｇｎａｌ  Ｒｅｃｅｉｖｅｄ  Ｐｏｗｅｒ）又は／及びＲＳＲＱ（Ｒｅｆｅｒｅｎｃｅ  Ｓｉｎｇｎａｌ  Ｒｅｃｅｉｖｅｄ  Ｑｕａｌｉｔｙ）に基づいて、ハンドオーバの判断をしてもよい。例えば、ｅＮＢ２００は、当該ｅＮＢ２００のＲＳＲＰ又は／及びＲＳＲＱが閾値未満のＵＥ１００であるか否かを判断した後に、要求ＱｏＳに基づいて、ＵＥ１００のハンドオーバを行うか否かを判断してもよい。これにより、自セルの端部に位置するＵＥ１００を優先的にハンドオーバの対象とすることができる。また、ｅＮＢ２００は、自セル内のＵＥ数が閾値を超えている場合に、要求ＱｏＳだけでなく、ＲＳＲＰ又は／及びＲＳＲＱに基づいて、ハンドオーバの判断をしてもよい。また、ｅＮＢ２００は、要求された省電力通信モードを設定した場合に自セル内の全てのＵＥ１００のうち少なくとも１つのＵＥの要求ＱｏＳが満たせない場合に、ＲＳＲＰ又は／及びＲＳＲＱに基づいて、ハンドオーバの対象ＵＥ１００を決定してもよい。また、ｅＮＢ２００は、要求ＱｏＳが高く、且つ、ＲＳＲＰ又は／及びＲＳＲＱが閾値未満のＵＥ１００をハンドオーバの対象ＵＥ１００に決定してもよい。
【０１６６】
上述した実施形態で説明した省電力通信モード以外に、以下の１）乃至３）の方法を採用してもよい。
【０１６７】
１）ＭＢＳＦＮ又はＡＢＳ利用：ＭＢＳＦＮ（ＭＢＭＳ  Ｓｉｎｇｌｅ  Ｆｒｅｑｕｅｎｃｙ  Ｎｅｔｗｏｒｋ）サブフレーム、又はＡＢＳ（Ａｌｍｏｓｔ  Ｂｌａｎｋ  Ｓｕｂｆｒａｍｅ）を設定し、そのサブフレームにおいて送信停止する。
【０１６８】
２）ＴＤＤ  ＤｗＰＴＳ  ｉｎ  Ｓｐｅｃｉａｌ  Ｓｕｂｆｒａｍｅ利用：ＴＤＤの場合の無線フレームに含まれるＳｐｅｃｉａｌ  Ｓｕｂｆｒａｍｅ内のＤｗＰＴＳを最小時間に設定し、ＤｗＰＴＳ時間以外において送信停止する方法。
【０１６９】
３）ＴＤＤ  ｄｙｎａｍｉｃ  ｆｒａｍｅ  ｃｏｎｆｉｇｕｒａｔｉｏｎ利用：ＴＤＤ  ｆｒａｍｅ設定（ｃｏｎｆｉｇ．）で下り送信サブフレームが最小となる設定を行い、上り時間において送信停止する方法。
【０１７０】
上述した第１実施形態では、ＰｅＮＢに省電力通信モードを設定していたが、ＭｅＮＢに省電力通信モードを設定してもよい。
【０１７１】
上述した実施形態において、ＭｅＮＢ２００−１及びＰｅＮＢ２００−２は、上述のエナジーセービングを行うか否かの判断基準によって、省電力通信モードの設定を終了するか否かを判断してもよい。例えば、ＭｅＮＢ２００−１は、ＰｅＮＢ２００−２の接続ＵＥ数が閾値を上回った場合に、ＰｅＮＢ２００−２の省電力通信モードの設定を終了させると判断する。ＰｅＮＢ２００は、省電力通信モードが設定されている場合に、このような省電力通信モードの設定を終了するか否かの判断するための情報を、周期的又は所定のトリガ（例えば、省電力通信モードの設定の基準を満たさなくなった場合）に応じて、ＭｅＮＢ２００−１に送信してもよい。
【０１７２】
上述した第２実施形態において、スレイブｅＮＢ２００−４は、状態更新情報を送信していたが、マスターｅＮＢ２００−３からの要求又は問い合わせに応じて、状態更新情報を送信してもよい。
【０１７３】
上述した第２実施形態のステップＳ５０５において、予想処理能力Ｃ１が要求処理能力Ｃ２を下回っている場合、要求ＱｏＳ及び／又はＲＳＲＰ又は／及びＲＳＲＱに基づいて、自セル内のＵＥ１００のハンドオーバを行うか否かを判断してもよい。
【０１７４】
上述した第２実施形態において、スレイブｅＮＢ２００−４は、設定タイマが満了した後、省電力通信モードの設定を終了していたが、これに限られない。スレイブｅＮＢ２００−４は、省電力通信モードの設定を続けるか否かを、第１実施形態のエナジーセービングを行うか否かの判断基準に従って、判断してもよい。
【０１７５】
上述した第２実施形態におけるマスターｅＮＢ２００−３及びスレイブｅＮＢ２００−４の動作を、上述した実施形態におけるＭｅＮＢ２００−１及びＰｅＮＢ２００−２が適宜行ってもよい。或いは、上述した実施形態におけるＭｅＮＢ２００−１及びＰｅＮＢ２００−２の動作を、マスターｅＮＢ２００−３及びスレイブｅＮＢ２００−４が適宜行ってもよい。従って、例えば、ＰｅＮＢ２００−２は、省電力通信モードを設定している場合、上述の状態更新情報をＭｅＮＢ２００−１に送信してもよい。
【０１７６】
また、ＭｅＮＢ及びＰｅＮＢを含むヘテロジーニアスネットワーク構成を想定していたが、他のネットワーク構成であってもよい。
【０１７７】
尚、上述した実施形態では、本発明をＬＴＥシステムに適用するケースを主として説明したが、ＬＴＥシステムに限定されるものではなく、ＬＴＥシステム以外のシステムに本発明を適用してもよい。
【０１７８】
なお、日本国特許出願第２０１３−０８０００２号（２０１３年４月５日出願）及び日本国特許出願第２０１３−２２４４６６号（２０１３年１０月２９日出願）の全内容が、参照により、本願明細書に組み込まれている。
【産業上の利用可能性】
【０１７９】
以上のように、本発明に係る基地局は、サービス品質の低下を抑制しつつエナジーセービングを実現できるため、移動通信分野において有用である。
【図１】
2014163138.tif 000003
【図２】
2014163138.tif 000004
【図３】
2014163138.tif 000005
【図４】
2014163138.tif 000006
【図５】
2014163138.tif 000007
【図６】
2014163138.tif 000008
【図７】
2014163138.tif 000009
【図８】
2014163138.tif 000010
【図９】
2014163138.tif 000011
【図１０】
2014163138.tif 000012
【図１１】
2014163138.tif 000013
【図１２】
2014163138.tif 000014
【図１３】
2014163138.tif 000015
【図１４】
2014163138.tif 000016
【図１５】
2014163138.tif 000017
【図１６】
2014163138.tif 000018
【図１７】
2014163138.tif 000019
【手続補正書】
【提出日】平成27年10月8日(2015.10.8)
【手続補正１】
【補正対象書類名】特許請求の範囲
【補正対象項目名】全文
【補正方法】変更
【補正の内容】
【特許請求の範囲】
【請求項１】
自セル内のユーザ端末との通信を行う基地局であって、
前記基地局の消費電力が削減された状態で前記ユーザ端末との通信を行う省電力通信モードを設定する前において、隣接基地局への前記ユーザ端末のハンドオーバを制御する制御部を備えることを特徴とする基地局。
【請求項２】
前記制御部は、前記ユーザ端末との通信に要求されるＱｏＳに基づいて、前記隣接基地局への前記ユーザ端末のハンドオーバを制御することを特徴とする請求項１に記載の基地局。
【請求項３】
前記制御部は、前記省電力通信モードを設定すると前記ＱｏＳを満たせない場合に、前記ハンドオーバを行った上で、前記省電力通信モードを設定することを特徴とする請求項２に記載の基地局。
【請求項４】
前記制御部は、前記ハンドオーバの手続において前記隣接基地局に送信するハンドオーバ要求に、前記省電力通信モードのためのハンドオーバであることを示す情報を含めることを特徴とする請求項３に記載の基地局。
【請求項５】
前記制御部は、前記省電力通信モードの設定要求を前記基地局が前記隣接基地局から受信したことに応じて、前記省電力通信モードを設定することを特徴とする請求項１に記載の基地局。
【請求項６】
前記設定要求は、前記基地局に要求される前記省電力通信モードの種類及び設定のうち少なくとも一方を示す情報を含むことを特徴とする請求項５に記載の基地局。
【請求項７】
前記制御部は、前記省電力通信モードが許可されるか否かの問い合わせを隣接基地局に送信し、
前記制御部は、前記問い合わせに対する肯定応答を前記基地局が前記隣接基地局から受信したことに応じて、前記省電力通信モードを設定することを特徴とする請求項１に記載の基地局。
【請求項８】
前記問い合わせは、前記基地局が予定する前記省電力通信モードの種類及び設定のうち少なくとも一方を示す情報を含むことを特徴とする請求項７に記載の基地局。
【請求項９】
前記問い合わせは、前記省電力通信モードを設定することにより前記隣接基地局に要求される通信容量を示す情報、及び／又は前記基地局の配下のユーザ端末の数を示す情報を含むことを特徴とする請求項７に記載の基地局。
【請求項１０】
前記制御部は、前記省電力通信モードを設定した場合に、前記省電力通信モードを設定したことを示す完了通知を前記隣接基地局に送信することを特徴とする請求項１に記載の基地局。
【請求項１１】
前記完了通知は、前記基地局が設定した前記省電力通信モードの種類及び設定のうち少なくとも一方を示す情報を含むことを特徴とする請求項１０に記載の基地局。
【請求項１２】
前記省電力通信モードの設定を示す情報は、前記省電力通信モードが適用されるシステムフレーム番号及びサブフレーム番号の少なくともいずれかを含むことを特徴とする請求項１１に記載の基地局。
【請求項１３】
前記省電力通信モードの設定を示す情報は、前記隣接基地局において、前記サブフレーム番号が示すサブフレーム内の無線リソース、又は、前記シスレムフレーム番号が示すフレームを構成するサブフレーム内の無線リソースが割り当てられる前記ユーザ端末に対して、データレートが所定値以上となるＭＣＳを割り当てるために用いられることを特徴とする請求項１２に記載の基地局。
【請求項１４】
予め定められた優先順位、又は、前記基地局の通信容量に基づいて、消費電力を削減する方法が異なる複数種類の省電力通信モードの中から、前記基地局が設定すべき省電力通信モードが選択されることを特徴とする請求項１に記載の基地局。
【請求項１５】
自セル内のユーザ端末との通信を行う基地局を制御するためのプロセッサであって、
前記基地局の消費電力が削減された状態で前記ユーザ端末との通信を行う省電力通信モードを設定する前において、隣接基地局への前記ユーザ端末のハンドオーバを制御する処理を実行することを特徴とするプロセッサ。
【国際調査報告】
2014163138.tif 000020
2014163138.tif 000021
2014163138.tif 000022
2014163138.tif 000023
2014163138.tif 000024
2014163138.tif 000025
2014163138.tif 000026
2014163138.tif 000027